(57)【要約】【課題】光ディスクの起動中にレーザーの発光を停止しなくても増幅器の適正なオフセット補正を実現できる光ディスク装置を提供することを目的とする。【解決手段】光ピックアップ部２００の増幅器に設定するゲインに対して、前記増幅器のオフセット電圧量を、傾きと切片の値としてマイコン部５００が求め、これをメモリ部６００に保存する。ゲインが切り替わる際には、マイコン部５００が前記保存した傾きと切片に基づいて最適なオフセット電圧を設定する。【選択図】図１
2008251079.tif 000002
【特許請求の範囲】
【請求項１】
各種フォーマット光ディスクの再生や記録を実行する過程で、各フォーマットタイプに適したフォーカス及びトラッキング制御をするため、光ピックアップ部から出力されるアナログ信号を増幅させるアナログ増幅器のゲイン設定が複数可能であるアナログ増幅器を有する光ディスク装置において、
前記増幅器内で設定するゲインに対してオフセット電圧量を、傾きと切片としてメモリ内に保存し、ゲインが切り替わる際に前記保存した傾きと切片に基づいて最適なオフセット電圧を設定するオフセット電圧補正手段を設けた
光ディスク装置。
【請求項２】
オフセット電圧補正手段は、
前記オフセット電圧を切片と傾きとして保存できるメモリ部を備えた
請求項１記載の光ディスク装置。
【請求項３】
オフセット電圧補正手段は、
前記オフセット電圧の計測を可能とするディジタル信号処理部を備えた
請求項１記載の光ディスク装置。
【請求項４】
オフセット電圧補正手段は、
前記オフセット電圧変化の切片と傾きを計算できるマイコン部を備えた
請求項１記載の光ディスク装置。
【請求項５】
オフセット電圧補正手段は、
前記オフセット電圧の設定を光ディスクのフォーマットタイプを変更するときに、計算されたオフセット電圧を設定指示するマイコン部を備えた
請求項１記載の光ディスク装置。
【請求項６】
オフセット電圧補正手段は、
前記オフセット電圧の検出精度を高めるため、出力値を平均化するための積分器を備えた
請求項１記載の光ディスク装置。
【請求項７】
前記入力オフセット電圧を任意の値を一定間隔で変化させることを指示するマイコン部を備えた
請求項１記載の光ディスク装置。
【請求項８】
オフセット電圧補正手段は、
入力するオフセット電圧を変化させながら基準電圧値と等しくなるオフセット電圧を求めるよう構成した
請求項１記載の光ディスク装置。
【請求項９】
入力オフセット電圧に対する出力オフセット電圧の関係を一次近似式として計算するよう構成した
請求項８記載の光ディスク装置。
【請求項１０】
求めた一次近似式と基準電圧値との交点を求める計算処理を実行するよう構成した請求項９記載の光ディスク装置。
【請求項１１】
オフセット電圧補正手段は、
入力オフセットの最適解を求めるために、基準電圧との差分量を比較して、入力オフセットするオフセット電圧の正の方向或いは負の方向への入力を指示するよう構成した
請求項１記載の光ディスク装置。
【請求項１２】
一次近似式を求める際、少なくとも異なる３点の入力オフセット電圧に対する出力特性との関係式を求め、出力特性としての飽和状態を検出するよう構成した
請求項９記載の光ディスク装置。
【請求項１３】
出力値が飽和して検出された領域の傾きや切片を求める計算式に加えないよう構成した
請求項１２記載の光ディスク装置。
【請求項１４】
前記オフセット特性の傾きが異常値として判別させるために傾きの適正な範囲を記憶し、適正でない場合には以降の処理を中止する
請求項１３記載の光ディスク装置。
【発明の詳細な説明】
【技術分野】
【０００１】
本発明は、ＣＤ、ＤＶＤ、ブルーレイ光ディスク（Ｂｌｕ−ｒａｙ  Ｄｉｓｃ）やＨＤ−ＤＶＤ等の光ディスクに対して情報を記録或いは再生する光ディスク装置に関する。
【背景技術】
【０００２】
近年の光ディスク事情は、ＣＤではＲＯＭ／Ｒ／ＲＷ、ＤＶＤではＲＯＭ／±Ｒ／±ＲＷ／ＲＡＭ及び情報面が複数あるデュアル光ディスク、更にはブルーレイ光ディスク（ｂｌｕ−ｒａｙ）、ＨＤ−ＤＶＤと様々な規格に多数の光ディスクメーカがある。記録速度も幅広く、また記録するレーザーパワーの出力特性も千差万別である。
【０００３】
これらの光ディスクに対して安定したフォーカス及びトラッキング制御を実現するために、光ピックアップ部の迷光と制御信号のオフセットを除去することは周知の技術である。
【０００４】
この従来技術は、サーボ制御信号生成の前段のアナログ増幅回路のオフセット除去することによって、光ピックアップ部からの入力信号からオフセット量を演算し、フォーカスやトラッキング制御位置の精度を高めることを可能にしている。
【０００５】
オフセット除去の手段として、レーザー発光を停止した時の前記光ピックアップ部の出力信号の直流（ＤＣ）量をアナログ増幅回路のオフセットとし、光ディスクの無い状態でレーザー発光時のオフセットを測定し、演算することによって、迷光成分としてのオフセット補正も可能にした回路構成となっている。
【特許文献１】特開２００２−１５０５７５公報
【発明の開示】
【発明が解決しようとする課題】
【０００６】
上述のような様々な規格の光ディスクに対応するため、光ピックアップ部から入力された信号からサーボ信号を生成するためのアナログ増幅回路としては、細かいゲイン設定が可能で、その設定できる幅（いわゆるダイナミックレンジ）が大きいものが必要になった。
【０００７】
例えばＤＶＤ−ＲＷを起動させる場合、まずＣＤかＤＶＤかを判別し、次に反射率の高い光ディスクか低い光ディスクかを判別し、トラッキング信号の情報等を得てＤＶＤ−ＲＷと確定させても、判別する際、フォーカスやトラッキング制御の安定のためゲインを切り替える必要がある。記録時も記録速度に応じて発光されるレーザー出力に対応するためフォーカス及びトラッキング信号を生成するゲインの設定を変更する必要である。
【０００８】
しかし、従来のように光ディスクの起動中にレーザーの発光を停止するとフォーカスやトラッキング制御が破綻する。
本発明は、光ディスクの起動中にレーザーの発光を停止しなくても増幅器の適正なオフセット補正を実現できる光ディスク装置を提供することを目的とする。
【課題を解決するための手段】
【０００９】
本発明の請求項１記載の光ディスク装置は、各種フォーマット光ディスクの再生や記録を実行する過程で、各フォーマットタイプに適したフォーカス及びトラッキング制御をするため、光ピックアップ部から出力されるアナログ信号を増幅させるアナログ増幅器のゲイン設定が複数可能であるアナログ増幅器を有する光ディスク装置において、
前記増幅器内で設定するゲインに対して、オフセット電圧量を傾きと切片としてメモリ内に保存し、ゲインが切り替わる際に前記保存した傾きと切片に基づいて最適なオフセット電圧を設定するオフセット電圧補正手段を設けたことを特徴とする。
【００１０】
本発明の請求項２記載の光ディスク装置は、請求項１において、オフセット電圧補正手段は、前記オフセット電圧を切片と傾きとして保存できるメモリ部を備えたことを特徴とする。
【００１１】
本発明の請求項３記載の光ディスク装置は、請求項１において、オフセット電圧補正手段は、前記オフセット電圧の計測を可能とするディジタル信号処理部を備えたことを特徴とする。
【００１２】
本発明の請求項４記載の光ディスク装置は、請求項１において、オフセット電圧補正手段は、前記オフセット電圧変化の切片と傾きを計算できるマイコン部を備えたことを特徴とする。
【００１３】
本発明の請求項５記載の光ディスク装置は、請求項１において、オフセット電圧補正手段は、前記オフセット電圧の設定を光ディスクのフォーマットタイプを変更するときに、計算されたオフセット電圧を設定指示するマイコン部を備えたことを特徴とする。
【００１４】
本発明の請求項６記載の光ディスク装置は、請求項１において、オフセット電圧補正手段は、前記オフセット電圧の検出精度を高めるため、出力値を平均化するための積分器を備えたことを特徴とする。
【００１５】
本発明の請求項７記載の光ディスク装置は、請求項１において、前記入力オフセット電圧を任意の値を一定間隔で変化させることを指示するマイコン部を備えたことを特徴とする。
【００１６】
本発明の請求項８記載の光ディスク装置は、請求項１において、オフセット電圧補正手段は、入力するオフセット電圧を変化させながら基準電圧値と等しくなるオフセット電圧を求めるよう構成したことを特徴とする。
【００１７】
本発明の請求項９記載の光ディスク装置は、請求項８において、入力オフセット電圧に対する出力オフセット電圧の関係を一次近似式として計算するよう構成したことを特徴とする。
【００１８】
本発明の請求項１０記載の光ディスク装置は、請求項９において、求めた一次近似式と基準電圧値との交点を求める計算処理を実行するよう構成したことを特徴とする。
本発明の請求項１１記載の光ディスク装置は、請求項１において、オフセット電圧補正手段は、入力オフセットの最適解を求めるために、基準電圧との差分量を比較して、入力オフセットするオフセット電圧の正の方向或いは負の方向への入力を指示するよう構成したことを特徴とする。
【００１９】
本発明の請求項１２記載の光ディスク装置は、請求項９において、一次近似式を求める際、少なくとも異なる３点の入力オフセット電圧に対する出力特性との関係式を求め、出力特性としての飽和状態を検出するよう構成したことを特徴とする。
【００２０】
本発明の請求項１３記載の光ディスク装置は、請求項１２において、出力値が飽和して検出された領域の傾きや切片を求める計算式に加えないよう構成したことを特徴とする。
本発明の請求項１４記載の光ディスク装置は、請求項１３において、前記オフセット特性の傾きが異常値として判別させるために傾きの適正な範囲を記憶し、適正でない場合には以降の処理を中止することを特徴とする。
【発明の効果】
【００２１】
複数のゲイン設定が可能なアナログ増幅回路に、光ピックアップ部からサーボ信号を生成するために出力される信号が複数あるシステム、例えば、アナログ増幅回路が、−９ｄＢから＋２４ｄＢまでの幅を持ち、３ｄＢステップでの変更が可能であるような回路（１２パターンの設定）、光ピックアップ部からの出力信号でフォーカスエラー信号ＦＥを（Ａ＋Ｃ）−（Ｂ＋Ｄ）で構成する場合、Ａ，Ｂ，Ｃ，Ｄの４つのチャンネルを持ち、トラッキングエラー信号ＴＥも差動プッシュプルと呼ばれる方式では（Ａ＋Ｂ）−（Ｃ＋Ｄ）−ｋ｛（Ｅ＋Ｆ）−（Ｇ＋Ｈ）｝と更にＥ，Ｆ，Ｇ，Ｈが加わり８つのチャンネルを有するシステムが必要であり、従来技術のように事前にオフセット値をメモリ等に記憶させるのは非効率である。
【００２２】
そこで、上述のように複数の増幅器から構成されるアナログ部のゲインとオフセットの関係を直線近似して、その直線（一次式）の傾きと切片をメモリに記憶させることで、あらゆるゲイン設定に対して適したオフセット電圧を設定することが可能になり、ゲイン切り替え時のフォーカス及びトラッキング制御の不安定を解消することができる。
【００２３】
本発明にて、光ディスクのフォーマットタイプによってゲイン設定を切り替える際にフォーカス及びトラキング制御が安定し、記録時光ピックアップ部のレーザーパワー出射量の変化に伴ってもゲイン切り替えに伴うオフセットが適切に設定されるため、安定した記録が実現可能である。
【発明を実施するための最良の形態】
【００２４】
以下、本発明の実施の形態を図１〜図８に基づいて説明する。
図１は本発明のオフセット電圧補正装置を組み込んだ光ディスク装置の構成を示す。
この光ディスク装置は、光ディスク１に光ビームＬＢを照射し、光ディスク１からの反射光を受ける光ピックアップ部２００と、光ピックアップ部２００の出力電圧を増幅するアナログ増幅器３００と、アナログ増幅器３００の出力電圧を計測するディジタル信号処理部４００とを備える。
【００２５】
アナログ増幅器３００は、ディジタル信号処理部４００にて安定したフォーカス、トラッキング制御を実現するためのアンプ回路と、発生するオフセットを加えてオフセット電圧を除去できるように構成されている。
【００２６】
以下、各部を詳しく説明する。
光ピックアップ部２００の一例を図２（ａ）に示す。
半導体レーザ等の光源５より発生した光ビームＬＢは、カップリングレンズ６で平行光にされ、偏光ビームスプリッタ７及び１／４波長板８をこの順に通過し、対物レンズ１０により光ディスク１上に集束して照射される。対物レンズ１０はアクチェータ１１によってフォーカス方向に駆動されて焦点調整されている。
【００２７】
光ディスク３に照射された光ビームの反射光は、対物レンズ１０および１／４波長板８をこの順に通過し、偏光ビームスプリッタ７で反射された後に４分割光検出器１２上に照射される。
【００２８】
図２（ｂ）に示すように、４分割光検出器１２の４つの受光領域１２Ａ，１２Ｂ，１２Ｃ，１２Ｄの出力信号は、それぞれ照射光を再生或いは記録のタイミング切り替えるゲイン切り替えスイッチ１５Ａ，Ａ５Ｂ，１５Ｃ，１５Ｄを通過する。ゲイン切り替えスイッチ１５Ａ，Ａ５Ｂ，１５Ｃ，１５Ｄは図１に記載のマイコン部５００から再生／記録の指令のＷＴＧＴ信号２６を受けて切り替えられている。ゲイン切り替えスイッチ１５Ａ，Ａ５Ｂ，１５Ｃ，１５Ｄを通過した信号は、再生用ゲインアンプ１３Ａまたは記録用ゲインアンプ１４Ａ，再生用ゲインアンプ１３Ｂまたは記録用ゲインアンプ１４Ｂ，再生用ゲインアンプ１３Ｃまたは記録用ゲインアンプ１４Ｃ，再生用ゲインアンプ１３Ｄまたは記録用ゲインアンプ１４Ｄで電気信号に変換されて、図１に記載のアナログ増幅部３００に出力されている。
【００２９】
アナログ増幅部３００の一例を図３に示す。
このアナログ増幅部３００は、光ピックアップ部２００から出力された信号を各種フォーマット光ディスクに適したサーボを実現するために信号を増幅するものであり、複数のゲイン設定が可能な構成になっている。具体的には、ａ／α倍、ｂ／α倍、ｃ／α倍ｄ／α倍の４種類のゲイン設定が可能である増幅器２１と、同様にａ／β倍、ｂ／β倍、ｃ／β倍、ｄ／β倍が設定可能な増幅器２２と、ａ／γ倍、ｂ／γ倍、ｃ／γ倍、ｄ／γ倍が設定可能な増幅器２３を有している。３０１，３０２，３０３は光ディスクのフォーマットタイプによってゲインの設定を切り替えるスイッチである。
【００３０】
光ピックアップ部２００から出力された信号は、再生時と記録時にゲイン設定とオフセットを切り替えるためのスイッチ２６Ａを介して、増幅器２１〜２３の何れかに入力される。増幅器２１〜２３の出力信号は、増幅器３０でオフセット補正される。
【００３１】
増幅器３０には、再生用にゲイン設定された時のオフセット電圧を付加する再生オフセット入力部２４、記録用にゲイン設定された時のオフセット電圧を付加する記録オフセット入力部２５が、スイッチ２６Ｂを介して選択的に入力されている。
【００３２】
増幅器３０を通過してオフセット補正された信号は、スイッチ２７を介してディジタル信号処理部４００へ送られる。
ディジタル信号処理部４００の一例を図４（ａ）に示す。
【００３３】
このディジタル信号処理部４００は、アナログ増幅器３００から出力された信号をディジタル変換して、光ビームのフォーカス制御及びトラッキング制御するサーボ信号生成回路へ信号を出力するアナログ−ディジタル変換器（以降、Ａ／Ｄ変換器と称す）４１と、Ａ／Ｄ変換器４１の通過後の計測端子４１Ａの信号を測定するディジタル信号モニタ４２を備えている。ディジタル信号モニタ４２は、図４（ｂ）に示すように例えば計測端子４１Ａの信号を積分器で構成される低域通過フイルタＬＰＦを通過させた信号をディジタル変換出力として出力する。
【００３４】
図５はオフセット電圧補正手段としてのマイコン部５００のフローチャートを示す。
最初に、マイコン部５００はステップＳ１０１で、オフセット電圧のターゲットを求めるためにアナログ増幅部３００の基準電圧のＡ／Ｄ値を取得する。つまり、図３において、スイッチ２７を基準電圧の側に接続し、Ａ／Ｄ値を取得する。また取得の際、安定した値を取得することが望ましく、ＬＰＦ等の積分器を通過させて、なお取得される値を平均化することが良い。以後のＡ／Ｄ値取得時は積分器を通過させ、平均化した値を取得する。
【００３５】
ステップＳ１０２では、ステップＳ１０１で得た基準電圧のＡ／Ｄ値をマイコン部５００の内部メモリに記憶させる。
ステップＳ１０３では、光ピックアップ部２００の内部の増幅器を再生側に接続する。記録時用を計測する際は記録側に接続する。つまり、図２において、スイッチ１５Ａ、１５Ｂ、１５Ｃ、１５Ｄを再生側である増幅器１３Ａ，１３Ｂ，１３Ｃ，１３Ｄ側に接続する。記録時用は１４Ａ，１４Ｂ，１４Ｃ，１４Ｄに接続する。
【００３６】
ステップＳ１０４では、図３において、アナログ増幅部３００にて第１のアンプに接続し、各ゲイン設定でのＡ／Ｄ値を取得するので基準電圧に接続していたものから信号出力側つまり増幅器側へ接続を変更する。具体的には、スイッチ２６Ａを増幅器２１に接続し、スイッチ２７も信号出力側、つまり増幅器３０側へ接続を変更する。
【００３７】
ステップＳ１０５では、アナログ増幅部３００内の第１のゲイン設定に接続する。具体的には、図３において、増幅器２１のスイッチ３０１を“ａ”の帰還素子に接続する。
ステップＳ１０６では、アナログ増幅部３００内の再生オフセット入力部に接続して、第１の再生オフセット電圧を入力する。具体的には、入力オフセット電圧を任意の値を一定間隔で変化させることをマイコン部５００が指示し、図３において、再生オフセット入力部２４から第１のオフセット電圧を入力する。
【００３８】
ステップＳ１０７では、出力された電圧をＡ／Ｄ値としてディジタル信号処理部４００にてモニタする。具体的には、図４において、モニタ部４２を介して出力結果を得て、このときの値をマイコン部５００の内部メモリに保存する。
【００３９】
ステップＳ１０８では、入力オフセット電圧に対する出力Ａ／Ｄ値との直線関係を求めるためには複数の入出力データが必要なので、ここではｑ点の入出力データが得るようステップＳ１０６とステップＳ１０７の作業を繰り返す。図６，図７では入力オフセット電圧が１０ｍＶ間隔に１１点の入出力データを求めた場合を示している。
【００４０】
ステップＳ１０９とステップＳ１１０では、求めた一次近似式と基準電圧値との交点を求める計算処理を実行する。
ステップＳ１０９では、現状のゲイン設定、つまり増幅器２１のスイッチ３０１が“ａ”の帰還素子に接続されている状態で、基準電圧Ｖ０との交点を求める。図６のように傾きが同じである直線関係であれば基準電圧Ｖ０との交点を正確に求めることができるが、図７のようにＡ／Ｄ出力値が飽和している場合、直線近似では求める基準電圧値Ｖ０との交点がずれるので誤った計算をする。そこで、各２点間（入力が−５０ｍＶと−４０ｍＶ、−４０ｍＶと−３０ｍＶ、・・・）の傾きを求め飽和領域を直線近似に含めない処理を施して、直線性の保たれた範囲内での直線近似式を求める。また、入力と出力の関係が常に比例関係であるため、予め設定されたゲインにて傾きが論理的に求められ、その論理的に求めた傾きと実測した傾きに大きな差がある場合はこの個体が異常であることを認識させる必要があるので、予めマイコン内に適正な検出範囲を設けて異常値が出力された場合は不具合品として本処理を中止し、その個体を削除する。
【００４１】
なお、ステップＳ１０９で一次近似式を求める際、少なくとも異なる３点の入力オフセット電圧に対する出力特性との関係式を求め、出力特性としての飽和状態を検出し、出力値が飽和して検出された領域の傾きや切片を求める計算式に加えないよう構成されている。
【００４２】
ステップＳ１１０では、ステップＳ１０９で求めた直線式と基準電圧Ｖ０との交点を求め、入力オフセット電圧を求める。ここでは増幅器２１のスイッチ３０１を帰還素子“ａ”に接続されている状態なので、求めた交点は図８ではゲインがａ／αで−１０ｍＶの入力設定であることを示す。また、求めた交点は増幅器２１内の切片に該当し、その値をマイコン部５００の内部メモリに記憶する。
【００４３】
ステップＳ１１０では、ステップＳ１１０で求めた切片をメモリ部６００に保存する。
ステップＳ１１２では、第２のゲイン設定にスイッチを切り替える。図３において、増幅器２１のスイッチ３０１を帰還素子“ｂ”に接続し、第ｎのゲイン設定が完了するまでステップＳ１０６〜ステップＳ１１１のルーチンを繰り返し実行する。
【００４４】
ステップＳ１１３では、入力オフセット電圧に対する出力オフセット電圧の関係を一次近似式として計算する。具体的には、第１、第２・・・、第ｎのゲイン設定で求めた交点をマイコン部５００から呼び出して増幅器２１での直線近似式を求め、先ほど求めた切片に増幅器２１の傾きを求める。図８において、ａ／α、ｂ／α、ｃ／α、ｄ／αの４点から直線近似式を求め、傾きを求める。
【００４５】
ステップＳ１１４では、ステップＳ１１３で求めた増幅器２１の傾き情報をメモリ部６００に値を保存する。
ステップＳ１１５では、第２の増幅器にスイッチを切り替える。つまり、図３において、スイッチ２６Ａを増幅器２２に接続し、増幅器２２のスイッチ３０２を帰還素子“ａ”に接続し、ステップＳ１０６〜ステップＳ１１０を繰り返し実行し、第ｎのゲイン設定まで、同様にステップＳ１０６〜ステップＳ１１０を実行する。これを第ｉの増幅器（図３では増幅器２１、増幅器２２、増幅器２３までなので、ｉ＝３となる。）まで、ステップＳ１０４〜ステップＳ１１３を実行し、各増幅器内の傾きと切片の情報をメモリ部６００に保存する。
【００４６】
光ピックアップ部２００に再生、記録のゲイン切り替えがあれば、それを切り替えてスイッチ２６Ｂを記録オフセット入力部２５に切り替えて、ステップＳ１０４〜ステップＳ１１５までの作業を繰り返せば良いが、光ピックアップ部２００でのゲイン切り替えではアナログ増幅器に入力されるＤＣ成分が変化するだけなので、アナログ増幅器の特性は変わらないから切片の情報だけを保持するだけで良い。また、光ピックアップ部２００にて、ＣＤ、ＤＶＤ用等に切り替えスイッチがあっても同様にアナログ増幅器の特性は変わらないから切片の情報だけを保持するだけで良い。
【００４７】
光ディスク１としては、ＣＤフォーマットにおいてＲＯＭ／Ｒ／ＲＷ、ＤＶＤフォーマットにおいてＲＯＭ／±Ｒ／±ＲＷ／ＲＡＭ及び情報面が複数あるデュアル光ディスク、更にはブルーレイ光ディスク（Ｂｌｕ−ｒａｙ  Ｄｉｓｃ）、ＨＤ−ＤＶＤと様々な規格光ディスクに各記録可能な光ディスクでは多数の光ディスクメーカがあり、更には記録速度も幅広く、またそれをサポートするための光ピックアップ部構造も複雑になり光ピックアップ部からの出力信号が主ビームから得られる信号が４つ、副ビームから得られる信号も４つあり、多数のチャンネルを持っており、また、光ディスクの反射率差が大きいことから光ピックアップ部２００の側でも再生用アンプに２種類、記録用アンプにも２種類となり、光ピックアップ部のゲイン設定数、出力信号の数、アナログ部のゲイン設定数を組み合わせると、オフセット情報として持たせるメモリが不足してしまう。そこで、アナログ増幅部アンプは増幅器単位でゲインに合わせたオフセットが線形変化することを利用して、光ディスク１のフォーマットタイプを変更するときに、マイコン部５００がその増幅器の傾きと切片の情報からオフセットを算出し、計算されたオフセット電圧を設定指示するよう構成することによって、メモリの使用数を低減し、安定したフォーカスおよびトラッキング制御を実現することが可能になる。
【産業上の利用可能性】
【００４８】
本発明は、ＣＤ、ＤＶＤ、ブルーレイ光ディスク（Ｂｌｕ−ｒａｙ  Ｄｉｓｃ）やＨＤ−ＤＶＤ等の光ディスクに対して情報を記録或いは再生する装置において光ビームの安定したフォーカス制御及びトラッキング制御に寄与できる。
【図面の簡単な説明】
【００４９】
【図１】本発明の光ディスク装置の全体構成図
【図２】同実施の形態の光ピックアップ部の構成図
【図３】同実施の形態のアナログ増幅部の構成図
【図４】同実施の形態のディジタル信号処理部の構成図
【図５】同実施の形態のマイコン部のフローチャート図
【図６】Ａ／Ｄ出力値が飽和していない場合の入出力データ説明図
【図７】Ａ／Ｄ出力値が飽和している場合の入出力データ説明図
【図８】再生ゲイン設定時と記録ゲイン設定時のオフセット出力電圧変化図
【符号の説明】
【００５０】
２００光ピックアップ部
３００アナログ増幅器
４００ディジタル信号処理部
５００    マイコン部（オフセット電圧補正手段）
６００    メモリ部
１    光ディスク
６    カップリングレンズ
７    偏光ビームスプリッタ
８    １／４波長板
１０    対物レンズ
１１    アクチェータ
１２    ４分割光検出器
１２Ａ，１２Ｂ，１２Ｃ，１２Ｄ    ４分割光検出器の受光領域
１３Ａ，１３Ｂ，１３Ｃ，１３Ｄ    再生用ゲインアンプ
１４Ａ，１４Ｂ，１４Ｃ，１４Ｄ    記録用ゲインアンプ
１５Ａ，Ａ５Ｂ，１５Ｃ，１５Ｄ    ゲイン切り替えスイッチ
２１，２２，２３，３０    増幅器
３０１，３０２，３０３    スイッチ
２６Ａ，２６Ｂ    スイッチ
２４    再生オフセット入力部
２５    記録オフセット入力部
２７    スイッチ
４１    アナログ−ディジタル変換器
４２    ディジタル信号モニタ
ＬＰＦ    低域通過フイルタ（積分器）
【図１】
2008251079.tif 000003
【図２】
2008251079.tif 000004
【図３】
2008251079.tif 000005
【図４】
2008251079.tif 000006
【図５】
2008251079.tif 000007
【図６】
2008251079.tif 000008
【図７】
2008251079.tif 000009
【図８】
2008251079.tif 000010